(57)【特許請求の範囲】
【請求項１】
荷役用電動モータと、この荷役用電動モータに駆動される油圧ポンプと、前記油圧ポンプおよび荷役用電動モータを収容する車体本体と、前記油圧ポンプにより加圧される作動流体によって作動する可動部と、を備えて構成され、前記車体本体には、運転者が搭乗する運転部が設けられている作業車両であって、
前記油圧ポンプ、前記作動流体の流れを制御する制御弁、および前記作動流体を貯留するタンクは、前記車体本体の走行方向において前記運転部よりも前方に配置されるとともに、前記走行方向に直交する車幅方向に沿って並んで配置され、
前記荷役用電動モータは、前記車幅方向において前記運転部の反対側に配置されるとともに、当該荷役用電動モータの回転軸が前記走行方向に略平行となるように配置され、
前記制御弁は、前記タンクに隣接して配置されるとともに、前記タンクに支持されていることを特徴とする作業車両。
【請求項２】
荷役用電動モータと、この荷役用電動モータに駆動される油圧ポンプと、前記油圧ポンプおよび荷役用電動モータを収容する車体本体と、前記油圧ポンプにより加圧される作動流体によって作動する可動部と、を備えて構成され、前記車体本体には、運転者が搭乗する運転部が設けられている作業車両であって、
前記油圧ポンプ、前記作動流体の流れを制御する制御弁、および前記作動流体を貯留するタンクは、前記車体本体の走行方向において前記運転部よりも前方に配置されるとともに、前記走行方向に直交する車幅方向に沿って並んで配置され、
前記荷役用電動モータは、前記車幅方向において前記運転部の反対側に配置されるとともに、当該荷役用電動モータの回転軸が前記走行方向に略平行となるように配置され、
前記制御弁および前記タンクは、前記車幅方向において前記運転部側に配置されていることを特徴とする作業車両。
【請求項３】
荷役用電動モータと、この荷役用電動モータに駆動される油圧ポンプと、前記油圧ポンプおよび荷役用電動モータを収容する車体本体と、前記油圧ポンプにより加圧される作動流体によって作動する可動部と、を備えて構成され、前記車体本体には、運転者が搭乗する運転部が設けられている作業車両であって、
前記油圧ポンプ、前記作動流体の流れを制御する制御弁、および前記作動流体を貯留するタンクは、前記車体本体の走行方向において前記運転部よりも前方に配置されるとともに、前記走行方向に直交する車幅方向に沿って並んで配置され、
前記荷役用電動モータは、前記車幅方向において前記運転部の反対側に配置されるとともに、当該荷役用電動モータの回転軸が前記走行方向に略平行となるように配置され、
前記制御弁は、前記タンクに隣接して配置されるとともに、前記タンクに支持され、
前記制御弁および前記タンクは、前記車幅方向において前記運転部側に配置されていることを特徴とする作業車両。
【発明の詳細な説明】
【技術分野】
【０００１】
本発明は、作動流体によって作動する可動部を有する作業車両に関する。
【背景技術】
【０００２】
従来、車体前部に前方へ延出した左右一対のリーチレッグと、当該リーチレッグに沿って前後方向に移動可能に設けられたリフト装置とを備えた作業車両としてのリーチフォークリフトが知られている（例えば、特許文献１参照）。
このリーチフォークリフトのリフト装置は、作動油によって上下に伸縮するリフトシリンダと、このリフトシリンダによって昇降するフォーク爪とを有して構成されている。
【０００３】
車体内部には、可動部を作動させるための各種油圧機器（油圧ポンプおよび電動モータ等）が収容されている。すなわち、車体内部は、走行方向の前後に仕切られ、車体内部の前方には、オイルタンクおよびオイルコントロールバルブ（以下、Ｃ／Ｖと示す。）が収容されている。また、車体内部の後方は、車体の車幅方向に沿って左右に仕切られ、一方には、油圧ポンプおよび電動モータが収容され、他方には、運転部が設けられている。
電動モータによって油圧ポンプが駆動されると、オイルタンクの作動油が油圧ポンプによって加圧されてＣ／Ｖに送られる。Ｃ／Ｖは、リフトシリンダ等の可動部へ送る圧油の流量を調整し、または、流れの方向を切換えることによって、可動部の動作を制御することができる。このＣ／Ｖは、運転部に設けられる操作レバーに連結されており、運転者によって、操作されるようになっている。
【０００４】
【特許文献１】特開２００１−３３５２９９号公報（図５，図９）
【発明の開示】
【発明が解決しようとする課題】
【０００５】
しかし、特許文献１に記載のリーチフォークリフトでは、電動モータおよび油圧ポンプが、車体本体内において運転部の側方に収納されているので、これら電動モータおよび油圧ポンプの収納スペースを確保するために、運転部のスペースが制約を受けてしまうという問題がある。
【０００６】
本発明の目的は、荷役用電動モータおよび油圧ポンプによって、運転部がスペース上の制約を受けることなく、運転部のスペースを充分確保することができる作業車両を提供することである。
【課題を解決するための手段】
【０００７】
本発明の請求項１に係る作業車両は、荷役用電動モータと、この荷役用電動モータに駆動される油圧ポンプと、油圧ポンプおよび荷役用電動モータを収容する車体本体と、油圧ポンプにより加圧される作動流体によって作動する可動部と、を備えて構成され、車体本体には、運転者が搭乗する運転部が設けられている作業車両であって、油圧ポンプ、作動流体の流れを制御する制御弁、および作動流体を貯留するタンクは、車体本体の走行方向において運転部よりも前方に配置されるとともに、走行方向に直交する車幅方向に沿って並んで配置され、荷役用電動モータは、車幅方向において運転部の反対側に配置されるとともに、当該荷役用電動モータの回転軸が走行方向に略平行となるように配置され、制御弁は、タンクに隣接して配置されるとともに、タンクに支持されていることを特徴とする。
【０００８】
本発明の請求項２に係る作業車両は、荷役用電動モータと、この荷役用電動モータに駆動される油圧ポンプと、油圧ポンプおよび荷役用電動モータを収容する車体本体と、油圧ポンプにより加圧される作動流体によって作動する可動部と、を備えて構成され、車体本体には、運転者が搭乗する運転部が設けられている作業車両であって、油圧ポンプ、作動流体の流れを制御する制御弁、および作動流体を貯留するタンクは、車体本体の走行方向において運転部よりも前方に配置されるとともに、走行方向に直交する車幅方向に沿って並んで配置され、荷役用電動モータは、車幅方向において運転部の反対側に配置されるとともに、当該荷役用電動モータの回転軸が走行方向に略平行となるように配置され、制御弁およびタンクは、車幅方向において運転部側に配置されていることを特徴とする。
【０００９】
本発明の請求項３に係る作業車両は、荷役用電動モータと、この荷役用電動モータに駆動される油圧ポンプと、油圧ポンプおよび荷役用電動モータを収容する車体本体と、油圧ポンプにより加圧される作動流体によって作動する可動部と、を備えて構成され、車体本体には、運転者が搭乗する運転部が設けられている作業車両であって、油圧ポンプ、作動流体の流れを制御する制御弁、および作動流体を貯留するタンクは、車体本体の走行方向において運転部よりも前方に配置されるとともに、走行方向に直交する車幅方向に沿って並んで配置され、荷役用電動モータは、車幅方向において運転部の反対側に配置されるとともに、当該荷役用電動モータの回転軸が走行方向に略平行となるように配置され、制御弁は、タンクに隣接して配置されるとともに、タンクに支持され、制御弁およびタンクは、車幅方向において運転部側に配置されていることを特徴とする。
【発明の効果】
【００１０】
以上において、請求項１の発明によれば、油圧ポンプを車体本体内において運転部よりも前方に配置し、荷役用電動モータを車体本体内において運転部の側方に配置することによって、運転部の側方の車体本体内には、油圧ポンプの収容スペースを確保する必要がなくなり、荷役用電動モータの収容スペースを確保するだけでよい。従って、荷役用電動モータおよび油圧ポンプによって運転部がスペース上の制約を受けることなく、運転部のスペースを充分確保することができ、本発明の目的を達成できる。
【００１１】
請求項２の発明によれば、荷役用電動モータを、荷役用電動モータの回転軸が走行方向に沿って略平行となるように配置することによって、荷役用電動モータの回転軸の端部に油圧ポンプを直接接続する場合であっても、荷役用電動モータを運転部の側方に配置し、かつ、油圧ポンプを運転部よりも前方に配置することができる。従って、運転部のスペースを充分確保することができる。
【００１２】
請求項３の本発明によれば、油圧ポンプおよび制御弁を、走行方向に直交する車体本体の車幅方向に沿って配置することによって、油圧ポンプと制御弁とを、ホースなどの配管材料で接続して作動流体の管路を形成する場合に、管路の曲がり部分を少なくすることができる。
従来のように、荷役用電動モータと油圧ポンプとが運転部の側方に配置されていると、油圧ポンプと制御弁とを接続する管路が多数の曲がり部を形成せざるを得ず、圧損が大きくなるという問題があった。
これに対して、本発明によれば、管路の曲がり部分を少なくすることができるので、管路による作動液体の圧損を軽減することができるとともに、管路が複雑にならず、単純化できて管路スペースを小さくできる。
【発明を実施するための最良の形態】
【００１３】
以下、本発明の一実施形態を図面に基づいて説明する。
図１は、本実施形態に係る作業車両としてのリーチフォークリフト１の全体を示す斜視図である。図１において、リーチフォークリフト１は、内部に走行用電動モータ、荷役用電動モータ、および荷役用電動モータによって駆動される油圧ポンプ等が収容されている車体本体２と、車体本体２の前方に装着されて当該油圧ポンプからの圧油で駆動されるリフト装置３と、車体本体２から上方に延設されてオペレータ（運転者）の頭上を覆うヘッドガード４とを備えている。
【００１４】
これらのうちの車体本体２には、前方側に延出した左右一対のリーチレッグ５が設けられており、これらのリーチレッグ５に沿ってリフト装置３が前後に移動自在に設けられている。また、図示を省略するが、車体本体２の後方側には、左右方向（車幅方向）の略中央位置に駆動輪が設けられ、駆動輪の左右には、アシスト輪６が設けられている。駆動輪は走行用電動モータによって駆動される。このような車体本体２には、オペレータが立ち姿勢で運転操作を行う運転部７が設けられている。
【００１５】
リフト装置３は、左右に立設された一対のマスト８と、これらのマスト８に沿って上下に昇降するリフトブラケット９と、マスト８に取り付けられて前記リフトブラケット９をチェーンを介して昇降駆動させる図示略のリフトシリンダとを備えている。リフトブラケット９には、左右一対のフォーク爪１０が前方に向かって延設されている。なお、リフト装置３の前後への移動は、車体本体２の下面に取り付けられたリーチシリンダで行われるとともに、フォーク爪１０がリフトブラケット９上のチルトシリンダにて前後にチルトするようになっている。
【００１６】
図２は、車体本体２の構造を示す斜視図である。図２において、鋼製の車体本体２は、車体本体２を前後方向に仕切る前面壁である前後仕切壁２１と、車体本体２の車幅方向（図２中の左右方向）において前後仕切壁２１の両端部分に接合される左右の側面壁２２，２３と、車体本体２の後方下部の背面壁２４とを備えて構成される。また、図２中、二点鎖線で示すように、前後仕切壁２１および側面壁２２，２３の上部には、トップパネル１６が取り付けられる。
【００１７】
背面壁２４は、左右の側面壁２２，２３の下部同士を連結する。背面壁２４の車幅方向の略中央部には、前述の駆動輪１５との干渉を防止するための半円状の駆動輪用切欠部２４１が形成される。
前後仕切壁２１よりも前方には、車体本体２を上下に仕切る水平な上下仕切板２５が、前後仕切壁２１と、左右の側面壁２２，２３とに接合される。また、前後仕切壁２１よりも前方の下部には、一対のリーチレッグ５の基端部が、前後仕切壁２１と、左右の側面壁２２，２３とに固定される。
【００１８】
前後仕切壁２１と、背面壁２４との間には、走行用電動モータ（不図示）の台座２６が形成される。この台座２６は、走行用電動モータを支持するだけではなく、前後仕切壁２１および背面壁２４を連結し、前後仕切壁２１と側面壁２２，２３と背面壁２４とから略四角形状に形成された車体本体２の下部のフレーム構造を補強している。
【００１９】
台座２６の後部で運転部７側の端部には、上方に立設された縦長板状の鋼材からなる縦アーム５３が固定される。縦アーム５３の上端には、トップパネル１６が固定される。
縦アーム５３と前後仕切壁２１との間には、着脱可能な着脱カバー５２が取り付けられる。着脱カバー５２は、車体本体２の内部と運転部７とを仕切る仕切板となっている。
【００２０】
運転部７は、前後仕切壁２１と側面壁２２と着脱カバー５２とによって区画形成され、運転部７の下方には図示しないフロア部材が固定される。着脱カバー５２の後部と側面壁２２の後部との間には、オペレータが運転部７に搭乗するための開口部が形成される。
背面壁２４の上方には、側面壁２３の後部と着脱カバー５２の後部との間を覆うカバー部材５１が設けられる。カバー部材５１は、ヒンジ部材５１１によって、側面壁２３に対して開閉自在に支持される。
【００２１】
以下、図２中の前後仕切壁２１および側面壁２３に設けられたブラケット２７，２８について詳しく説明する。
前後仕切壁２１の上部には、前後仕切壁２１の前後の空間を連通する切欠部２１１が形成される。この切欠部２１１には、第１ブラケット２７が水平に接合される。また、左の側面壁２３の上方内面において、前後仕切壁２１の後方には、第２ブラケット２８が水平に接合される。これらの第１ブラケット２７および第２ブラケット２８には、荷役用電動モータ１１（図３中）が支持されるようになっている。
【００２２】
第１ブラケット２７は、細長い板状に形成され、長手方向が車体本体２の車幅方向に沿うように、かつ、板面が水平方向となるように、前後仕切壁２１に接合される。また、第１ブラケット２７には、モータ固定用のボルト孔２７１が、車体本体２の車幅方向の２箇所に形成される。
第２ブラケット２８は、細長い板状で、一端が湾曲して形成されている。第２ブラケット２８は、湾曲した一端が車体本体２の走行方向の後方となるように、かつ、板面が水平方向になるように、側面壁２３内面に接合される。また、第２ブラケット２８の湾曲した一端には、モータ固定用のボルト孔２８１が１箇所形成される。これらのブラケット２７，２８は、車体本体２の略同じ高さに、互いに長手方向が直交するように配置される。
【００２３】
図３〜図５は、車体本体２に収容された荷役用電動モータ１１、油圧ポンプ１２の位置を示す平面図および前方から見た斜視図、後方から見た斜視図である。図６は、第１，第２取付金具３１，３２および車体本体２との連結構造を示す斜視図である。
図３において、車体本体２の前後仕切壁２１よりも後方（図中の下方）には、荷役用電動モータ１１が、当該モータ１１の回転軸が走行方向に沿うように配置される。荷役用電動モータ１１の回転軸の端部には、油圧ポンプ１２が直結される。油圧ポンプ１２は、前後仕切壁２１より前方に配置され、上下に設けられた接続口１２１，１２２（図４）を有する。油圧ポンプ１２の吸込側の接続口１２１は下向きに、吐出側の接続口１２２は上向きに設けられる。
【００２４】
上下仕切板２５より上方で、車体本体２の車幅方向において略中央位置には、本発明の制御弁であるオイルコントロールバルブ（Ｃ／Ｖ）１３が配置される。Ｃ／Ｖ１３には、図示しないトップパネルの上方に露出して設けられる操作レバー１７の基端が連結される。操作レバー１７は、Ｃ／Ｖ１３に内蔵されているスプール（不図示）と機械的に連結され、スプールを移動可能に構成される。すなわち、この操作レバー１７が操作されると、ＣＶ１３のスプールが移動して、圧油の流量が変化し、または、圧油の流れの方向が切換わり、圧油の流れが制御されるようになっている。
運転部７の前方位置には、作動油を貯留するオイルタンク１４が、Ｃ／Ｖ１３に隣接して、上下仕切板２５上に固定される。オイルタンク１４は、隣接するＣ／Ｖ１３を支持金具等で支持している。このように、油圧ポンプ１２とＣ／Ｖ１３とオイルタンク１４とは、車体本体２の車幅方向に沿って略一直線上に並んで配置される。
【００２５】
以下、荷役用電動モータ１１の取り付け構造について詳しく説明する。
図３〜図５に示すように、荷役用電動モータ１１の回転軸に沿って油圧ポンプ１２側の端部および油圧ポンプ１２の反対側の端部には、それぞれ第１取付金具３１、第２取付金具３２が固定される。
図６にも示すように、第１取付金具３１は、油圧ポンプ１２の下方に配置された板状の本体部３１１と、この本体部３１１の両端部に形成されたフランジ部３１２とを有して構成される。本体部３１１は、油圧ポンプ１２の幅方向の寸法よりも長く形成され、荷役用電動モータ１１の油圧ポンプ１２側の端部に図示しないボルトで固定される。
【００２６】
フランジ部３１２は、ボルトを挿通可能な切欠部３１３が形成されている。あるいは、フランジ部３１２には、切欠部３１３の代わりに、第１ブラケット２７のボルト孔２７１と同軸となるようにボルト孔が形成されてもよい。
荷役用電動モータ１１は、当該モータ１１に固定された第１取付金具３１のフランジ部３１２が第１ブラケット２７に対して平行になるように配置され、フランジ部３１２と第１ブラケット２７との間にゴムマウント３３が介在された状態で、第１ブラケット２７にボルト締結される。ゴムマウント３３は略円筒状に形成され、貫通孔３３１を有する。ボルトは、フランジ部３１２の切欠部３１３と、ゴムマウント３３の貫通孔３３１と、第１ブラケット２７のボルト孔２７１とに挿通される。このように、荷役用電動モータ１１は、第１取付金具３１によって車体本体２の車幅方向に沿った油圧ポンプ１２を挟む２箇所で、第１ブラケット２７に締結固定される。
【００２７】
図３および図５に示すように、第２取付金具３２は、断面Ｌ字形の長手状の部材であり、荷役用電動モータ１１の油圧ポンプ１２とは反対側の端部に固定される。この第２取付金具３２には、第２ブラケット２８のボルト孔２８１と同軸のボルト孔が形成され、第２取付金具３２と第２ブラケット２８とが略円筒状のゴムマウント３４を介してボルト締結される。
このように、荷役用電動モータ１１は、第１取付金具３１を介して２箇所で第１ブラケット２７に固定され、また、第２取付金具３２を介して１箇所で第２ブラケット２８に固定されている。
【００２８】
次に、図４に示すように、油圧ポンプ１２およびＣ／Ｖ１３等の油圧機器を接続する油圧ホース４１〜４４について説明する。
油圧ポンプ１２の吸込側の接続口１２１には、一端がオイルタンク１４に接続された油圧ホース４１の他端が接続される。油圧ポンプ１２の吐出側の接続口１２２には、油圧ホース４１よりも小径の油圧ホース４２の一端が接続され、油圧ホース４２の一端は、Ｃ／Ｖ１３に接続される。この油圧ホース４２によって、油圧ポンプ１２とＣ／Ｖ１３とを接続する管路が構成される。Ｃ／Ｖ１３には、リフトシリンダ等の可動部に一端が接続された複数の油圧ホース４３の他端が接続される。また、Ｃ／Ｖ１３には、オイルタンク１４に作動油を戻すための油圧ホース４４も接続される。
【００２９】
以下、リーチフォークリフト１の動作システム構成について、リフトシリンダの動作を例に簡単に説明する。
油圧ポンプ１２は、荷役用電動モータ１１によって駆動され、オイルタンク１４の作動油を油圧ホース４１を介して吸込側の接続口１２１から吸い込み、吐出側の接続口１２２から油圧ホース４２を介してＣ／Ｖ１３に圧送する。
運転者が操作レバー１７を動かすと、Ｃ／Ｖ１３内のスプールが移動して、Ｃ／Ｖ１３からリフトシリンダ等への圧油の流量が変わり、または、圧油の流れの方向が切換わって、リフトシリンダ等の動作を制御することができる。
このようにして、油圧ポンプ１２からの油圧でリフトシリンダ等が伸縮し、フォーク爪１０が動作することによって荷役作業が実施される。
リーチシリンダ、チルトシリンダ等の他のシリンダについてもリフトシリンダと同様の動作となるように構成される。
【００３０】
従って、本実施形態によれば、油圧ポンプ１２を車体本体２内において運転部７よりも前方に配置し、荷役用電動モータ１１を車体本体２内において運転部７の側方に配置するので、運転部７の側方の車体本体２内には、油圧ポンプ１２の収容スペースを確保する必要がなくなり、荷役用電動モータ１１の収容スペースさえ確保できればよい。従って、荷役用電動モータ１１および油圧ポンプ１２によって運転部７がスペース上の制約を受けることなく、運転部７のスペースを充分確保することができる。
【００３１】
また、本実施形態によれば、荷役用電動モータ１１を、当該モータ１１の回転軸が走行方向に沿うように配置するので、荷役用電動モータ１１の回転軸の端部に油圧ポンプ１２を接続した場合に、荷役用電動モータ１１だけを運転部７の側方に配置し、油圧ポンプ１２を運転部７よりも前方に配置することができる。従って、運転部７のスペースを充分確保することができる。
【００３２】
また、本実施形態によれば、Ｃ／Ｖ１３を油圧ポンプ１２に対して荷役用電動モータ１１の回転軸に直交する方向に沿って一直線上に配置するので、油圧ポンプ１２とＣ／Ｖ１３とを、油圧ホース４２で接続する場合に、油圧ホース４２の曲がり部分を少なくすることができる。従って、油圧ホース４２の曲がり部分による作動油の圧損を軽減することができる。
【００３３】
なお、本発明は前述の実施形態に限定されるものではなく、本発明の目的を達成できる範囲での変形、改良等は本発明に含まれるものである。
例えば、前記実施形態のリーチフォークリフト１では、車体本体２が開閉可能なカバー部材５１を備えているが、本発明では、これに限らずカバー部材の変わりに背面壁を上方に延設してもよい。この場合、背面壁に第２ブラケットを固定してもよい。
【００３４】
前記実施形態では、車体本体が、前面壁である前後仕切壁２１、側面壁２２，２３、背面壁２４を互いに接続して形成されていたが、これに限らず、車体本体を構成する前面壁、側面壁、背面壁などのうちの少なくとも２つが一体形成されていてもよい。
【００３５】
前記実施形態のリーチフォークリフト１は、フォーク爪を前後に移動可能なリフト装置を備えたリーチ式であったが、これに限らず、カウンタ式のフォークリフトに本発明を適用してもよい。さらに、本発明は、フォークリフトに限らず、作動流体によって作動する荷役装置を備えた作業車両に適用してもよい。
【産業上の利用可能性】
【００３６】
本発明は、フォークリフトに利用できる他、小型の油圧ショベル、ホイールローダ等の作業車両にも利用することができる。
【図面の簡単な説明】
【００３７】
【図１】本発明の一実施形態にかかる作業車両全体を示す斜視図。
【図２】作業車両の車体本体の構造を示す斜視図。
【図３】作業車両の荷役用電動モータおよび油圧ポンプの配置を示す平面図。
【図４】作業車両の車体本体内部を示す前方から見た斜視図。
【図５】作業車両の車体本体内部を示す後方から見た斜視図。
【図６】作業車両の荷役用電動モータの取付構造を詳しく説明する斜視図。
【符号の説明】
【００３８】
１…作業車両であるフォークリフト、２…車体本体、３…可動部であるリフト装置、７…運転部、１１…荷役用電動モータ、１２…油圧ポンプ、１３…制御弁であるオイルコントロールバルブ（Ｃ／Ｖ）、４２…管路である油圧ホース。
【図１】
0004863142.tif 000002
【図２】
0004863142.tif 000003
【図３】
0004863142.tif 000004
【図４】
0004863142.tif 000005
【図５】
0004863142.tif 000006
【図６】
0004863142.tif 000007